(57)【要約】【技術課題】配管等に捲きつけ易く、モルタル処理時にモルタルの充填を確実に行うことができる防火区画貫通部措置具を提供する。【解決手段】一定の厚さに形成したシート状又はテープ形状の熱膨張性部材１の表面に一定の間隔で平行溝２を形成して円曲しやすくする。又、熱膨張性部材１の両サイドにテーパー部１２、１３を形成することにより、貫通穴８の両入口側において隙間が大きくなるようにする。この結果、貫通穴８にモルタル１４が充填しやすい。また、充填量が多くなり、固定がしっかりとする。【選択図】        図３
2004340245.tif 000002
【特許請求の範囲】
【請求項１】
一定の厚さに成形したシート状又はテープ形状の熱膨張性部材の表面に一定の間隔で平行溝を形成して円曲性を助長したことを特徴とする防火区画貫通部措置具。
【請求項２】
請求項１の熱膨張性部材であって、一定の厚みがある場合には、熱膨張性部材の表面の両側端側にはテーパー部を形成したことを特徴とする防火区画貫通部措置具。
【請求項３】
請求項２のテーパー部には、階段状に段部が又は溝が形成されていることを特徴とする防火区画貫通措置具。
【請求項４】
請求項１の熱膨張性部材は、配管等に捲きつけたのち、その外側に薄肉の金属製テープを捲きつけることによって、その解けるのが阻止されていることを特徴とする防火区画貫通部措置具。
【請求項５】
請求項１の熱膨張性部材の内面には、滑り止めが施されていることを特徴とする防火区画貫通部措置具。
【請求項６】
請求項５の滑り止めは、熱膨張性部材の裏面に形成した凸起部又は粗面又は裏面の一部に貼り付けたスポンジ又はゴム又は弾性材又は粘着剤から成ることを特徴とする防火区画貫通部措置具。
【請求項７】
請求項１の熱膨張性部材がロール状のものにあっては、平行溝の始めの部分であって、その両側又は片側には引き裂き用のＶ又はＩノッチが一定の間隔で形成されていることを特徴とする防火区画貫通部措置具。
【発明の詳細な説明】
【０００１】
【発明の属する技術分野】
本発明は、建物の防火区画において、その貫通穴内に配管、ケーブル等を通した時に、管通穴内において防火措置を施すための措置具に関する。
【０００２】
【従来の技術】
従来の防火措置具としては、金枠内に熱膨張性部材を張り込んだものが主体であったが、このような措置具の場合、コストが高くつき、また配管やケーブル等の径ごとに寸法の違うものを用意する必要があることから、最近は、熱膨張性部材をテープ状に形成し、これを現場で配管やケーブルに捲きつけて措置する方式のものが採用され始めている。このテープ形状の措置具の例を次に示す。
【０００３】
・特開２００２−２２７３２５号
この公開に係る措置具及び措置方法は、建築物の仕切り部に設けられた防火区画３を貫通する樹脂配管、ケーブル、又は断熱被覆管１が貫通させる防火区画貫通部５の施工方法において、該樹脂配管、ケーブル、又は断熱被覆管１の防火区画貫通部分に、５０ｋｗ／ｍ２の照射熱量下で加熱したときの膨張倍率が３〜４０倍であり、且つ粘着性を有する熱膨張性材料からなるテープ状成形体２を巻き付けた後、防火区画貫通部５と樹脂配管、ケーブル、又は断熱被覆管１との間隔をモルタル、不燃材料、又はパテ４で埋め戻すことを特徴とするものである。
【０００４】
・特開２００２−１７２１８１号
この公開に係る措置具は、建築物の仕切り部に設けられた防火区画３を貫通する樹脂配管、ケーブル、又は断熱被覆管１に装着される防火区画貫通部材であって、該防火区画貫通部材が、５０ｋｗ／ｍ２の照射熱量下で加熱した際の膨張倍率が５〜４０倍であり、且つ加熱後の膨張材料を０．１ｃｍ／ｓで圧縮した際の破断点荷重が１Ｎ／ｃｍ２以上である熱膨張性材料からなるテープ状成形体で形成され、該テープ状成形体の厚みが、上記樹脂配管、ケーブル、又は断熱被覆管の外径の０．５〜２０％となされ、且つ、該テープ状成形体の幅が、防火区画貫通部の厚みの２５〜１５０％となされることを特徴とするものである。
【０００５】
・特開２００２−１６７８８５号
この公開に係る措置具は、建築物の仕切り部に設けられた防火区画３を貫通する樹脂配管、ケーブル、又は断熱被覆管１が挿通される防火区画貫通部分に、５０ｋｗ／ｍ２の照射熱量下で加熱したときの膨張倍率が３〜４０倍の熱膨張性材料からなるテープ状成形体２を巻き付けて固定した後、防火区画貫通部５と樹脂配管、ケーブル、又は断熱被覆管１との間隙をモルタル、不燃材料、又はパテ４で埋め戻すことを特徴とするものである。
【０００６】
・特開２０００−２４０８５４号
この公開に係る措置具は、防火区画体１の貫通孔２の内周面２ａと貫通孔２に配設された管様体Ｐの外周面との間に装着可能な厚みを有し、かつ、管様体Ｐの外周に添って巻回可能な長さと可撓性を備えた熱膨張性耐熱シール材４に、熱膨張性耐熱シール材４をそれの復元力に抗して巻回姿勢に保持する保持手段５が設けられていることを特徴とするものである。
【０００７】
【発明が解決しようとする課題】
しかし、上記各措置具は、テープ形状であることから、措置のしやすさ、と云う点では改善されているが、次のような欠点がある。
１．熱膨張性部材は、熱膨張材や難燃材等のベースポリマー以外の含有率を高めると、つなぎとなるベースポリマーの性質が損なわれ、例えば硬くなったり、脆くなったり等する。したがって、薄肉化や弾性を利用した固定には限界がある。
【０００８】
２．テープの裏面（内面）には、粘着剤層が形成されていて、捲きつけたときに配管等に固定するようになっている。このため、貫通穴内に配管等を行った後に措置を行おうとした場合、貫通穴内においてテープを捲きつけることができる場合はとにかく、通常は貫通穴の外で配管等に巻きつけてから貫通穴内にずらし込むため、あらかじめテープが配管等に固定されてしまうと、このずらし込みができない。したがって、あらかじめ配管等に装着しておき、この配管ごと貫通穴内に挿入するため、微妙な位置調整が難しいと共に措置後にやり直す必要が生じた時に位置調整が不可能である。
【０００９】
３．貫通穴内において防火措置を行った後は、この貫通穴内をモルタル等で閉塞する処置が必要となるが、貫通穴の内周面と措置したテープの外周面との間の隙間が小さいと、テープの端が邪魔してこの隙間内にモルタルが入らず、十分なモルタル処置が出来ないことがある。
【００１０】
４．特開２０００−２４０８５４号公報に掲載の措置具の場合、縦の貫通穴において措置をする場合、措置具の落下を防ぐために、粘着剤以外に装着位置規制手段９（図７、図８）等を用いており、この装置位置規制手段９を用いる分手間とコストがかかる。
【００１１】
本発明は斯る点に鑑みて提案されるものであって、その第１の目的は、措置具をテープ又はシート状に形成しながら、配管等に捲きつけ易い措置具を提供することである。
更に、第２の目的は、薄肉化が可能な措置具を提供することである。
更に、第３の目的は、貫通穴の間隙が小さい時でもモルタル等の処置を完全に行うことができる形状を持った措置具を提供することである。
更に、第４の目的は、配管等に貫通穴の外で装着し、この後で貫通穴内にずらし込むことができると共に、縦配管に装着したときでも滑り落ちない構造の措置具を提供することである。
更に、第５の目的は、ロール形状の措置具にあっては、手でカットして用いることができる措置具を提供することである。
【００１２】
【課題を解決するための手段】
上記目的を達成するため、請求項１に記載の発明においては、防火区画貫通部措置具において、一定の厚さに成形したシート状又はテープ形状の熱膨張性部材の表面に一定の間隔で平行溝を形成して円曲性を助長したことを特徴とするものである。
この発明によると、比較的硬い措置具においても、円曲をスムーズに行うことができる。
【００１３】
更に、請求項２に記載の発明においては、請求項１の熱膨張性部材であって、一定の厚みがある場合には、熱膨張性部材の表面の両側端側にはテーパー部を形成したことを特徴とするものである。
この発明によると、モルタル等を充填する時にモルタル等が内部まで充填しやすく、その量も大きくなる。
【００１４】
更に、請求項３に記載の発明においては、請求項２のテーパー部には、階段状に段部が又は溝が形成されていることを特徴とするものである。
この発明によると、充填したモルタル等が剥れ落ちにくくなる。
【００１５】
更に、請求項４に記載の発明においては、請求項１の熱膨張性部材は、配管等に捲きつけたのち、その外側に薄肉の金属製テープを捲きつけることによって、その解けるのが阻止されていることを特徴とするものである。
この発明によると、複数の配管等を一つの貫通穴内に通したときに、独立性を持たせることができる。
【００１６】
更に、請求項５に記載の発明においては、請求項１の熱膨張性部材の内面には、滑り止めが施されていることを特徴とするものである。
この発明によると、縦配管に取り付けたときに自重で滑り落ちるのを防ぐことができる。
【００１７】
更に、請求項６に記載の発明においては、請求項５の滑り止めは、熱膨張性部材の裏面に形成した凸起部又は粗面又は裏面の一部に貼り付けたスポンジ又はゴム又は弾性材又は粘着剤から成ることを特徴とするものである。
【００１８】
更に、請求項７に記載の発明においては、請求項１の熱膨張性部材がロール状のものにあっては、平行溝の始めの部分であって、その両側又は片側には引き裂き用のＶ又はＩノッチが一定の間隔で形成されていることを特徴とするものである。
この発明によると、カッター等がなくとも手で簡単に引き裂くことができる。
【００１９】
【実施例１】
図１〜図３に基づいて本願発明の実施例を詳述する。図１は防火区画貫通部措置具の全体を示す斜視図、図２は、措置具の裏面図、図３は貫通部内における措置例の説明図である。これら図１〜図３において、符号の１はシート状の熱膨張性部材であって、本実施例の熱膨張性部材１の表面には断面形状がＶ字形、コ字形、Ｕ字形あるいは切り込み等の平行溝２が一定の間隔で形成されている。３は前記熱膨張性部材１の一端１ａ側の表面に一端３ａを接着させて延長するようにして取り付けられた止め具としてのアルミテープであって、このアルミテープ３の他端３ｂの裏面には粘着剤層４が形成され、この粘着剤層４の表面には保護紙５が貼り合わせてある。なお、上記アルミテープ以外に薄肉ならば、他の金属テープを用いることもできる。
【００２０】
なお、上記アルミテープ３は、あらかじめ熱膨張性部材１に貼り付けるようにして取り付けられているが、これを別体とし、更にアルミテープ３の裏面には全面に粘着剤層と保護紙を張り合わせた構成としても良い。又、本実施例１の熱膨張性部材１とアルミテープ３は１枚のシート状となっているが、ロール状に巻かれたテープ形状のものを所要の長さにカットして使用するようにしても良い。
【００２１】
上記構成の熱膨張性部材１は、ベースポリマー又はベースゴムに熱膨張性黒鉛又は熱膨張性バーミュキュライト又はポリ燐酸アンモニウム等の熱膨張材を含有させたものの総称である。図２において、６は熱膨張性部材１の裏面の一部に施された滑り止めであって、本実施例１はスポンジ体であるが、この滑り止めは、摩擦係数の大きいものであるならば、ゴム体あるいは弾性材料、粘着剤等であっても良い。あるいは、熱膨張性部材１の裏面に直接小さな凸起物を形成したり、ザラザラ状に粗面加工したりしたものであっても良い。
【００２２】
以上に説明した措置具は、先ず貫通穴の外で熱膨張性部材１を平行溝側が外になるようにして配管やケーブルに捲きつけたのち、アルミテープ３を外側にひと捲き又はそれ以上捲いて端の粘着剤層４の保持紙５を剥がし、アルミテープ３の始めの部分（３ａ）の上に貼り付けて止める。その上で熱膨張性部材１を手で押して貫通穴８内にずらし込むもので、このずらし込んだ状態を示したのが図３である。又、この図３においては、防火区画７の貫通穴８内には、防火措置済の２本の配管９、１０が貫通して防火措置されており、この周囲の空隙１１には、後でモルタルやパテ等が充填される。
【００２３】
本実施例１によると、熱膨張性部材１には平行溝２が形成されているため、材質的に硬い場合（黒鉛等の含有が多い場合）でも、配管等に捲きつけるときにこの平行溝２の作用で熱膨張性部材１は円曲がしやすくなり、配管等に良く馴染むように捲きつけることが出来る。また、アルミテープ３を熱膨張性部材１の外側にひと捲きすることにより、図３に示すように１つの貫通穴８内で２本の配管９、１０を措置したときに、不燃材であるアルミテープ３の作用で相互の独立性が保障される。この結果、１ヶの貫通穴内において、複数の配管やケーブル等の措置を行ったときに性能の向上を図ることができる。
【００２４】
次に、本実施例１においては、熱膨張性部材１の裏面の一部に滑り止め６を設けたことにより、配管等が縦に配管されているときに、重力で措置具が貫通穴内から下にすべり落ちてしまうのを阻止することができる。
【００２５】
【実施例２】
本実施例２は、請求項２に記載の発明に対応するもので、図４に示すように、熱膨張性部材１の捲きつけ方向と直交する方向（幅方向）において、その上面にテーパー部１２、１３を形成したもので、このようにテーパー部１２、１３を形成することにより、図５に示すように、配管９に捲きつけて措置したときに、熱膨張性部材１と貫通穴８との間隔Ｗが小さい時、貫通穴８の両入口側の間隔Ｗ１はＷ＜Ｗ１と大きくなる。この結果、モルタルやパテ１４が充填しやすくなると共に量的に多くなり、固定しやすい。なお、テーパ部１２、１３には、階段状の段部又は溝を形成して、モルタルやパテ１４が剥れ落ちにくくなるように形成してもよい（請求項３）。
【００２６】
【実施例３】
本実施例３は、請求項７に記載の発明に対応するもので、図６に示すように、熱膨張性部材１がロール状の場合、平行溝２の始めの部分に一定の間隔でＶ又はＩノッチ１５を設けておくことにより、配管等の径に応じてここから手で引き裂いて熱膨張性部材１を任意にカットして使用できるようにしたものである。本実施例３はシート状の熱膨張性部材１でも実施化は可能であるが、ロール状に捲かれたテープ状の熱膨張性部材１に適用したときに便利である。
【００２７】
【発明の効果】
請求項１に記載の発明によると、熱膨張性部材の表面に平行溝を形成したことにより、熱膨張材、難燃材等のベースポリマー以外の含有量が多く、硬い材質の措置具の場合でも、配管等に捲きつけるときに円曲がしやすいことから、作業性が向上する。
請求項２に記載の発明によると、貫通穴内において間隙が小さい時でも、入り口側の間隙は大きくなるため、モルタルやパテが充填しやすいと共に量が多くなるため、固定がしっかりとする。
請求項３に記載の発明によると、充填したモルタルやパテが落下しにくい。
請求項４に記載の発明によると、アルミテープをひと捲き又はそれ以上捲いて熱膨張性部材を留めることにより、１ヶの貫通穴内に複数の配管やケーブル等を貫通させたときに、夫々独立した防火性能を発揮させることができる。
請求項５、６に記載の発明によると、熱膨張性部材の裏面に滑り止めを形成したことにより、縦配管等に捲きつけても重力ですべり落ちない。
請求項７に記載の発明によると、捲きつけの対象となる配管の径に応じてカッター等を用いないで熱膨張性部材を手でカットして使用することができて便利である。
【図面の簡単な説明】
【図１】本発明に係る措置具の説明図。
【図２】本発明に係る措置具の裏面図。
【図３】本発明に係る措置具を用いて２本の配管を措置した例の説明図。
【図４】熱膨張性部材の両側にテーパー部を形成した実施例２の説明図。
【図５】実施例２の措置具を用いて措置した例の説明図。
【図６】平行溝の始まりの部分にＶ、Ｉノッチを入れた実施例３の説明図。
【符号の説明】
１  熱膨張性部材
２  平行溝
３  アルミテープ
４  粘着剤層
５  保護紙
６  滑り止め
７  防火区画
８  貫通穴
９、１０  配管
１１  空隙
１２、１３  テーパー部
１４  モルタル
１５  Ｖノッチ
【図１】
2004340245.tif 000003
【図２】
2004340245.tif 000004
【図３】
2004340245.tif 000005
【図４】
2004340245.tif 000006
【図５】
2004340245.tif 000007
【図６】
2004340245.tif 000008